(57)【要約】【課題】被記録媒体上に２色以上のインクを重ねて印刷した際に、カラーブリードの発生を抑制できるインクジェット記録方法を提供する。【解決手段】本発明は、２色以上のインク組成物を重ねて被記録媒体上に印刷する工程を有するインクジェット記録方法であって、先に被記録媒体上に印刷する第１のインク組成物の降伏値よりも、その後に第１のインク組成物による画像上に印刷する第２のインク組成物の降伏値の方が高いインクジェット記録方法を提供する。【選択図】なし【特許請求の範囲】
【請求項１】
２色以上のインク組成物を重ねて被記録媒体上に印刷する工程を有するインクジェット記録方法であって、
先に前記被記録媒体上に印刷する第１のインク組成物の降伏値よりも、その後に前記第１のインク組成物による画像上に印刷する第２のインク組成物の降伏値の方が高い、インクジェット記録方法。
【請求項２】
前記第１のインク組成物による画像の明度の方が、前記第２のインク組成物による画像の明度よりも高い、請求項１に記載のインクジェット記録方法。
【請求項３】
前記２色以上のインク組成物が、ブラックインク組成物と、シアンインク組成物と、マゼンタインク組成物と、イエローインク組成物と、を含み、それらのインク組成物の降伏値が、下記式（１）で表される関係を満足する、請求項１又は２に記載のインクジェット記録方法。
ＹK＞ＹC＞ＹM＞ＹY      （１）
（式（１）中、ＹK、ＹC、ＹM及びＹYはそれぞれ、前記ブラックインク組成物、前記シアンインク組成物、前記マゼンタインク組成物及び前記イエローインク組成物の降伏値を示す。）
【請求項４】
前記２色以上のインク組成物が、ブラックインク組成物と、マゼンタインク組成物と、シアンインク組成物と、イエローインク組成物と、を含み、それらのインク組成物の降伏値が、下記式（２）で表される関係を満足する、請求項１又は２に記載のインクジェット記録方法。
ＹK＞ＹM＞ＹC＞ＹY      （２）
（式（２）中、ＹK、ＹM、ＹC及びＹYはそれぞれ、前記ブラックインク組成物、前記マゼンタインク組成物、前記シアンインク組成物及び前記イエローインク組成物の降伏値を示す。）
【発明の詳細な説明】
【技術分野】
【０００１】
本発明は、インクジェット記録方法に関する。
【背景技術】
【０００２】
インクジェット記録方法は、インクジェットヘッドからインクの液滴を飛翔させ、紙等の被記録媒体に着弾させて印刷を行う記録方法である。近年のインクジェット記録技術の革新的な進歩により、これまで写真やオフセット印刷の分野であった高精細な画像記録（印刷）にもインクジェット記録方法を用いられるようになってきている。
このインクジェット記録方法の１種として、ライン状にインクノズルを配列したライン状ヘッドを用い、インク滴の吐出速度及びインク滴の容量に対応した搬送速度で記録用紙を搬送しながら印刷を行う記録方法がある。例えば、特許文献１には、インクを吐出するインクノズルを配列させた記録ヘッドを備えるインクジェットプリンタによる記録方法において、前記記録ヘッドは異なる色のインクを吐出するノズルを各色毎に記録媒体の搬送方向に直交して配列させたラインヘッドを形成し、ラインヘッドのノズルは、各色間で前記搬送方向に相互に間隔を設けて配列されると共に、各色の前記記録媒体搬送方向にする配列が、該搬送方向の上流側が下流側に比べて淡い色相であるものが開示されている。
【先行技術文献】
【特許文献】
【０００３】
【特許文献１】特開２００４−０８９９６８号公報
【発明の概要】
【発明が解決しようとする課題】
【０００４】
ところが、本発明者らが、特許文献１に開示された従来のインクジェット記録方法について詳細に検討したところ、そのインクジェット記録方法では、被記録媒体上に２色以上のインクを重ねて印刷した際に、カラーブリードが発生することがあることを見出した。このカラーブリードは、異なる色間の隣接する境界部で隣り合う一方の色が他方に滲み出し交じり合う結果、不鮮明になる現象である。
【０００５】
そこで、本発明は上記事情にかんがみてなされたものであって、被記録媒体上に２色以上のインクを重ねて印刷した際に、カラーブリードの発生を抑制できるインクジェット記録方法を提供することを目的とする。
【課題を解決するための手段】
【０００６】
本発明者らは、上記課題を解決すべく鋭意検討を行った結果、カラーブリードの発生の有無は、インクが被記録媒体又はその上に直前に形成された画像上に着弾した際の動的粘性の関係に依存することを知見した。そして、カラーブリードの発生を抑制するためのインクジェット記録方法について詳細に研究を重ねた結果、本発明を完成するに至った。
【０００７】
すなわち、本発明は、２色以上のインク組成物を重ねて被記録媒体上に印刷する工程を有するインクジェット記録方法であって、先に被記録媒体上に印刷する第１のインク組成物の降伏値よりも、その後に第１のインク組成物による画像上に印刷する第２のインク組成物の降伏値の方が高いインクジェット記録方法を提供する。
【０００８】
このようなインクジェット記録方法によると、２色以上のインク組成物のうち、先に被記録媒体上に印刷した第１のインク組成物は、着弾した直後には流動性が比較的高いものの、そこに第２のインク組成物が着弾する時には流動性が低下する。よって、その状態の画像上に第２のインク組成物が着弾しても、流動性が低いので第１のインク組成物側から第２のインク組成物側へのカラーブリードは抑制される。また、第２のインク組成物は、元々降伏値が高く、着弾直後であってもその流動性は低いため、第２のインク組成物側から第１のインク組成物側へのカラーブリードも抑制される。これらの結果、本発明のインクジェット記録方法は、カラーブリードの発生を抑制することが可能となる。
【０００９】
一方、かかる関係が逆になると、すなわち第２のインク組成物の降伏値が第１のインク組成物のものよりも低くなると、先に被記録媒体上に印刷した第２のインク組成物による画像は、着弾した直後から流動性が比較的低くなっており、そこに第１のインク組成物が着弾する時にも流動性が低い状態にある。よって、その状態の画像上に第１のインク組成物が着弾しても、流動性が低いので第２のインク組成物側から第１のインク組成物側へのカラーブリードは抑制されるのは本発明と同様である。ところが、第１のインク組成物は、降伏値が低く、着弾直後ではその流動性が高いため、第１のインク組成物側から第２のインク組成物側へのカラーブリードが生じてしまう。したがって、この場合は、本発明のインクジェット記録方法と異なり、カラーブリードの発生を抑制することが困難となる。
【００１０】
本発明のインクジェット記録方法において、第１のインク組成物による画像の明度の方が、第２のインク組成物による画像の明度よりも高いと好ましい。本発明のインクジェット記録方法によると、重ね塗りによるカラーブリードの発生が抑制されるところ、明度のより高いインク組成物から順に印刷することにより、特に明度の低いインク組成物により形成した画像の滲みを防止することができ、一層シャープネス（鮮明性）の高い画像を形成することが可能となる。例えば、ビジネス用途の印刷において使用頻度の高い寒色系（黒〜青系）の文字画像や線画像を背景色として、使用頻度の高い暖色系（赤〜黄系）の背景画像に対して滲みを防止することで、シャープネスの高い画像を形成した印象を与えることができる。
【００１１】
かかるインクジェット記録方法の具体的な態様としては、例えば、２色以上のインク組成物が、ブラックインク組成物と、シアンインク組成物と、マゼンタインク組成物と、イエローインク組成物とを含み、それらのインク組成物の降伏値が、下記式（１）で表される関係を満足するものである。
ＹK＞ＹC＞ＹM＞ＹY      （１）
ここで、式（１）中、ＹK、ＹC、ＹM及びＹYはそれぞれ、ブラックインク組成物、シアンインク組成物、マゼンタインク組成物及びイエローインク組成物の降伏値を示す。
【００１２】
また、別の具体的なインクジェット記録方法は、２色以上のインク組成物が、ブラックインク組成物と、マゼンタインク組成物と、シアンインク組成物と、イエローインク組成物とを含み、それらのインク組成物の降伏値が、下記式（２）で表される関係を満足するものである。
ＹK＞ＹM＞ＹC＞ＹY      （２）
ここで、式（２）中、ＹK、ＹM、ＹC及びＹYはそれぞれ、ブラックインク組成物、マゼンタインク組成物、シアンインク組成物及びイエローインク組成物の降伏値を示す。
【００１３】
これらのインクジェット記録方法によると、カラーブリードの発生が抑制され、更にシャープネスの高い画像を形成することができる。
【図面の簡単な説明】
【００１４】
【図１】本発明の一例に係るインクジェット記録装置を模式的に示す概略図である。
【図２】本発明の一例に係るインクジェット記録装置の一部を概略的に示す斜視図である。
【図３】図２におけるＩＶ−ＩＶ線で切断して現れる断面を概略的に示す断面図である。
【発明を実施するための形態】
【００１５】
以下、必要に応じて図面を参照しつつ、本発明を実施するための形態（以下、単に「本実施形態」という。）について詳細に説明するが、本発明は下記本実施形態に限定されるものではない。本発明は、その要旨を逸脱しない範囲で様々な変形が可能である。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００１６】
本実施形態のインクジェット記録方法は、２色以上のインク組成物を重ねて被記録媒体上に印刷する工程を有するインクジェット記録方法であって、先に被記録媒体上に印刷する第１のインク組成物の降伏値よりも、その後に第１のインク組成物による画像上に印刷する第２のインク組成物の降伏値の方が高いものである。ここで、本明細書における「降伏値」及び「残留粘度」は、下記のようにして導出される。まず、２０℃において、インク組成物の剪断速度を変化させ、剪断速度と剪断応力との関係を測定する。次いで、その測定データをもとに、下記式（３）で表されるＣａｓｓｏｎ式に当てはめて、降伏値及び残留粘度を求める。
【００１７】
√Ｓ＝ａ×√Ｄ＋ｂ    （３）
式（３）中、Ｓは剪断応力（単位：Ｐａ）を示し、Ｄは剪断速度（単位：１／秒）を示し、ａ及びｂは、それぞれ定数を示す。非ニュートン流体である液は、Ｃａｓｓｏｎ式に当てはまる場合が多く、かなり広い範囲で利用されている。傾きａの二乗は残留粘度、切片ｂの二乗は降伏値であり、それぞれ液の特性値として用いられる。Ｃａｓｓｏｎ式から明らかなとおり、残留粘度は剪断速度が無限大の時の粘度を示し、降伏値は剪断速度がゼロの時の応力を示す。
【００１８】
本実施形態のインクジェット記録方法に用いるインクジェット記録装置は、例えば、図１、２及び３に示す構造を有する。図１は、インクジェット記録装置の特に用紙搬送部を模式的に示す概略図、図２は、その記録装置の一部を概略的に示す斜視図である。図３は、図２におけるＩＶ−ＩＶ線で切断して現れる断面を概略的に示す断面図であり、例えば普通紙等の被記録媒体を搬送する様子を示す。
【００１９】
なお、本実施形態において、「普通紙」とは、一般に、パルプを主原料としプリンタなどに使用される紙をいい、ＪＩＳ Ｐ ０００１ 番号６１３９で定義されている。具体的には、例えば、上質紙、ＰＰＣコピー紙、非塗工印刷紙などを挙げることができる。普通紙は各社から市販されているものを利用することもでき、例えば、Ｘｅｒｏｘ  ４２００（Ｘｅｒｏｘ社製）、ＧｅｏＣｙｃｌｅ（Ｇｅｒｏｇｉａ−Ｐａｃｉｆｉｃ社製）等、種々のものを利用することができる。
【００２０】
まず、図１を参照しながら説明する。一般に高速及び高密度の印刷が可能なライン型インクジェット記録装置１００は、普通紙等の被記録媒体１０１に、インク組成物の液滴（以下、「インク滴」ともいう。）を吐出し画像を記録するためのインクジェットヘッドユニット１９０と、インクジェットヘッドユニット１９０下方に被記録媒体１０１を搬送する搬送ベルト１３０と、被記録媒体１０１を収納した収納カセット１０４と、収納カセット１０４から被記録媒体１０１を給紙する給紙ローラ１０５と、被記録媒体１０１を搬送するための一対の搬送ローラ（ゲートローラ）１４０と、被記録媒体１０１を排出するための一対の排出ローラ１５０と、印刷された被記録媒体１０１を収納する排紙カセット１０６と、制御部１１１と、給紙される被記録媒体１０１の位置検出をする位置検出センサ１０９とを備えている。
【００２１】
インクジェットヘッドユニット１９０は、インクの種類に対応した複数のインクジェットヘッド１１０Ａ、１１０Ｂ、１１０Ｃ及び１１０Ｄ（「１１０Ａ〜Ｄ」と標記する。以下同様。ただし、図１に符号を示さない。）を備え、各インクジェットヘッドは、被記録媒体１０１の幅方向にわたって全幅に対応する多数のインク吐出ノズルを各々配列している、いわゆるラインヘッドで構成されている。
【００２２】
環状の搬送ベルト１３０は、被記録媒体１０１をインクジェットヘッドユニット１９０（印刷領域）まで搬送する。駆動ローラ１８０は、搬送ベルト１３０を駆動するものであり、従動ローラ１７０は、搬送ベルト１３０をインクジェットヘッドユニット１９０の吐出口に対向させながら従動するものである。駆動ローラ１８０は、制御部１１１により駆動制御されるモータ１１５により駆動する。また、給紙ローラ１０５は、収納カセット１０４内部の被記録媒体１０１を搬送ローラ１４０へ送り出すためのローラであり、制御部１１１により駆動制御されるモータ１１８により駆動する。
【００２３】
搬送ローラ１４０は、制御部１１１により駆動制御されるモータ１１６により駆動するローラユニットとしての駆動ローラ１４０Ａと、駆動ローラ１４０Ａに接触して従動する従動ローラ１４０Ｂとで構成している。排出ローラ１５０は、制御部１１１により駆動制御されるモータ１１７により駆動する駆動ローラ１５０Ａと、駆動ローラ１５０Ａに接触して従動する従動ローラ１５０Ｂとで排出ローラ対を構成している。
【００２４】
制御部１１１は、印刷処理（記録処理）や各種処理を実行するＣＰＵ（Central Processing Unit）、ホストコンピュータなどからインタフェイス（ＩＦ）を介して入力される印刷データ（記録データ）をデータ格納領域に格納するあるいは各種データを一時的に格納するＲＡＭ（Random Access Memory）、各部を制御する制御プログラム等を格納するＰＲＯＭ，ＥＥＰＲＯＭ（Electrically Erasable Programmable Read-Only Memory）などを備えている。
【００２５】
位置検出センサ１０９は、例えば発光素子の赤外発光ダイオードと受光素子のフォトトランジスタを組み合わせた反射型フォトセンサを用いる。位置検出センサ１０９は、給紙ローラ１０５と搬送ローラ１４０の間の用紙搬送部に配置され、搬送される被記録媒体１０１の先端位置（被記録媒体１０１の有無）を検出して、その検出信号は制御部１１１に入力される。制御部１１１では、被記録媒体１０１の先端位置の検出信号に基づいて搬送ローラ１４０の駆動制御処理が行われる。
【００２６】
被記録媒体１０１は制御部１１１からの駆動信号によりモータ１１６が駆動することにより回転する搬送ローラ１４０に到達し、被記録媒体１０１先端が搬送ローラ１４０に接触することにより被記録媒体１０１の先端面ならびに方向が整えられ、駆動ローラ１４０Ａと従動ローラ１４０Ｂとの間に挟まれて紙送りされ、搬送ベルト１３０上に送り出される。そして、搬送ベルト１３０によってインクジェットヘッドユニット１９０下方の印刷領域に搬送された被記録媒体１０１は、搬送ベルト１３０に搬送移動されながら、インクジェットヘッドユニット１９０のノズルからインク滴が吐出されて印刷データに基づく印刷が行われる。
【００２７】
被記録媒体１０１への印刷は、制御部１１１において、ＩＦを介してホストコンピュータから入手し、ＲＡＭに格納された印刷データを、ＣＰＵにおいて所定の処理を実行して、この処理データに基づいてヘッドドライバに駆動信号が出力され、ヘッドドライバを介して駆動信号がインクジェットヘッドユニット１９０に入力され、駆動信号が入力された静電アクチュエータの駆動により、これに対応するノズルから、被記録媒体１０１にインク滴が吐出されて印刷データに基づく画像の印刷（記録）が行われる。
【００２８】
印刷が行われた被記録媒体１０１は、搬送ベルト１３０により排出部（排出ローラ１５０）に搬送される。搬送された被記録媒体１０１が排出ローラ１５０に到達すると、制御部１１１からの駆動信号によりモータ１１７が駆動されて駆動ローラ１５０Ａが回転し、駆動ローラ１５０Ａに接触して従動する従動ローラ１５０Ｂとの間に挟まれて紙送りされ、排紙カセット１０６に収納される。
【００２９】
次に、図２及び３を参照しながら説明する。インクジェット記録装置１００は、インクジェットヘッドユニット１９０と、このインクジェットヘッドユニット１９０に相対向して下方に設けられたプラテン部１２０と、プラテン部１２０の搬送方向上流側で印刷に供する被記録媒体１０１を供給する媒体供給部（図示せず）と、プラテン部１２０の搬送方向下流側で印刷された被記録媒体１０１を収容する媒体受容部（図示せず）と、媒体供給部から被記録媒体１０１をプラテン部１２０上に搬送して印刷後の被記録媒体１０１を媒体受容部まで搬送する搬送手段１６０とを具備する。
【００３０】
インクジェットヘッドユニット１９０は、ライン状にインクノズルを配列した、それぞれ複数のインクジェットヘッド１１０Ａ〜Ｄを被記録媒体１０１の搬送方向に交差する方向（幅方向）に千鳥状に並設してライン印刷可能なものである。
インクジェットヘッド１１０Ａ〜Ｄのうち、インクジェットヘッド１１０Ａ及びＢは互いに同色の第１のインク組成物の液滴を吐出するものであり、インクジェットヘッド１１０Ｃ及びＤは、互いに同色の第２のインク組成物の液滴を吐出するものである。ただし、インクジェットヘッド１１０Ａ及びＢとインクジェットヘッド１１０Ｃ及びＤとは、互いに異なる色のインク滴を吐出するものであり、すなわち、第１のインク組成物と第２のインク組成物は互いに異なる色のインク組成物である。インクジェットヘッド１１０Ａ及びＢは、印刷した際に、第１のインク組成物が、被記録媒体１０１において幅方向のいずれの位置にも画像を形成できるように、搬送方向から見た場合に、互いに一部が重複するように配列されている。インクジェットヘッド１１０Ｃ及びＤも同様に配列されている。
【００３１】
また、インクジェットヘッド１１０Ａ及びＢ間の距離並びに／又はインクジェットヘッド１１０Ｃ及びＤ間の距離と、インクジェットヘッド１１０Ｂ及びＣ間の距離とは等しいことが好ましい。従来は、異色ヘッド間の距離を同色ヘッド間の距離と同程度又はそれよりも短くしようとすると、特に高速印刷においてカラーブリードの問題が生じてしまい、そのような構成を有することは困難であった。一方、本実施形態によると、後述のように、カラーブリードの発生を抑制することができるため、異色ヘッド間の距離が同色ヘッド間の距離と等しくなるよう又はそれよりも短くなるよう、各色のインクジェットヘッドを配置することが可能となる。また、これにより、インクジェットヘッドユニット１９０全体の搬送方向における距離を短縮することができるため、装置の小型化、軽量化、低コスト化が可能となる。さらに、被記録媒体１０１がその幅方向にスキューした場合に生じる幅方向のドットズレについても、本実施形態では異色ヘッド間の距離を短くすることにより、最小限に留めることができる。
【００３２】
プラテン部１２０は、被記録媒体１０１を搬送する搬送ベルト１３０を備え、その搬送ベルト１３０はプラテンベルトを兼ねるものである。搬送手段１６０は、搬送ベルト１３０の搬送方向上流側及び下流側にそれぞれ、被記録媒体１０１を上下から狭持するように対向した一対の搬送ローラ１４０及び排出ローラ１５０を備え、それらが搬送ベルト１３０と共に搬送手段１６０を構成する。搬送ベルト１３０は、その上に載置された被記録媒体１０１を搬送方向に搬送するよう、従動ローラ１７０及び駆動ローラ１８０の回動により動作する。
【００３３】
インクジェット記録装置１００に具備される上記以外の構成は、従来公知の構成であってもよい。
【００３４】
インクジェット記録装置１００の動作、すなわち、インクジェット記録方法は下記のとおりである。まず、搬送手段１６０、すなわち、搬送ベルト１３０、搬送ローラ１４０及び１５０を作動させて、被記録媒体１０１を媒体供給部からプラテン部１２０に向けて搬送方向に搬送する。被記録媒体１０１がインクジェットヘッド１１０Ａ及びＢの下方まで搬送されたら、そのインクジェットヘッド１１０Ａ及びＢのインクノズルから、第１のインク組成物の液滴を吐出し、飛翔させて、被記録媒体１０１の印刷面（上面）における画像を形成させるべき所望の位置に着弾させる。次いで、被記録媒体１０１が引き続き、インクジェットヘッド１１０Ｃ及びＤの下方まで搬送されたら、そのインクジェットヘッド１１０Ｃ及びＤのインクノズルから、第２のインク組成物の液滴を吐出し、飛翔させて、被記録媒体１０１の印刷面（上面）における画像を形成させるべき所望の位置に着弾させる。この際、第２のインク組成物は、その一部が被記録媒体１０１の印刷面上に直接着弾してもよいが、少なくとも一部は第１のインク組成物により形成された画像上に着弾する。こうして、被記録媒体１０１に画像を形成する。そして、画像が形成された（印刷された）被記録媒体１０１を、インクジェットヘッドユニット１９０の下流にある媒体受容部に更に搬送する。
【００３５】
このように、ある色のインク組成物を、その色の画像を形成すべき部分にまとめて印刷した後に、別のある色のインク組成物を、その色の画像を形成すべき部分にまとめて印刷するような方式を、本明細書において「色完結方式」という。
【００３６】
本実施形態におけるインクジェット記録方式は、インク組成物を微細なノズルより液滴として吐出して、その液滴を被記録媒体に着弾、付着させる方式である。具体的に以下に説明する。
【００３７】
第一の方法としては、静電吸引方式があり、この方式はノズルとノズルの前方に置いた加速電極の間に強電界を印可し、ノズルからインクを液滴状で連続的に噴射させ、その液滴が偏向電極間を飛翔する間に印刷情報信号を偏向電極に与えて記録する方式、あるいはインクの液滴を偏向することなく印刷情報信号に対応して噴射させる方式である。
第二の方法としては、小型ポンプで液状のインク組成物に圧力を加え、ノズルを水晶振動子等で機械的に振動させることにより、強制的にインクの液滴を噴射させる方式である。噴射された液滴は噴射と同時に帯電させ、その液滴が偏向電極間を飛翔する間に印刷情報信号を偏向電極に与えて記録する。
第三の方法は圧電素子を用いる方式であり、液状のインク組成物に圧電素子で圧力と印刷情報信号とを同時に加え、インクの液滴を噴射・記録させる方式である。
第四の方式は熱エネルギーの作用により液状のインク組成物を急激に体積膨張させる方式であり、インク組成物を印刷情報信号に従って微小電極で加熱発泡させ、その液滴を噴射・記録させる方式である。
以上のいずれの方式も本実施形態のインクジェット記録方法に採用することができる。
【００３８】
次に、本実施形態のインクジェット記録方法に用いられるインク組成物（第１のインク組成物及び第２のインク組成物）について、詳細に説明する。
本実施形態に係るインク組成物は、安全性、取り扱い上の観点から、インクの主溶媒が水である水性インク組成物であることが好ましく、水はイオン交換水、限外濾過水、逆浸透水、蒸留水等の純水又は超純水を用いることが好ましい。特に紫外線照射又は過酸化水素添加等により滅菌処理した水を用いることが、カビやバクテリアの発生を防止してインクの長期保存を可能にする点で好ましい。インクの適正な物性値（降伏値、粘度等）の確保、インクの安定性及び信頼性の確保という観点で、水はインク組成物中に６０質量％〜１０質量％含まれることが好ましい。
【００３９】
インク組成物に含まれる水の含有量を上記の範囲に規定することにより、普通紙中のセルロースに吸収される水分量が従来のインク組成物よりも少なくなる結果、コックリングやカールの原因と考えられているセルロースの膨潤を抑制することができる。以下、コックリング又はカールを抑制するのに適した性質を、それぞれ「コックリング適性」、「カール適性」ともいう。
【００４０】
水分含有量が１０質量％未満の場合は、被記録媒体への定着性が低下する場合がある。一方、水分含有量が６０質量％を超える場合は、従来の水性インク組成物と同様、インク吸収性が乏しい紙支持体の吸収層を有する被記録媒体に対して印刷する際に、コックリングやカールが発生しやすい。
【００４１】
インクの１０℃〜４０℃の温度範囲における粘度は、インクに含まれる着色剤、保湿剤、溶剤等の持つ温度特性に影響を受ける。これらの中では特に保湿剤の影響が大きく、保湿剤の種類や添加量、含有比によっては、１０℃での粘度がより上がりやすく、４０℃での粘度がより下がりやすい。なお、本明細書中では、１０℃〜４０℃での粘度差がより少ないことを、インクの温度による粘度特性に優れると表記する。
【００４２】
本実施形態に係るインク組成物は、カール、コックリング適性、裏抜け適性、目詰まり適性、インクの温度による粘度特性のバランスを適正に保つという観点から、下記（Ａ）、（Ｂ）及び（Ｃ）の保湿剤からなる群より選ばれる少なくとも１種の保湿剤を含むことが好ましい。ここで（Ａ）の保湿剤は、グリセリン、１，２，６−ヘキサントリオール、ジエチレングリコール、トリエチレングリコール、テトラエチレングリコール、ジプロピレングリコールからなる群より選ばれる少なくとも１種の化合物であり、（Ｂ）の保湿剤は、トリメチロールプロパン及びトリメチロールエタンからなる群より選ばれる少なくとも１種の化合物であり、（Ｃ）の保湿剤は、ベタイン類、糖類及び尿素類からなる群より選ばれ、かつ分子量が１００〜２００の範囲にある、少なくとも１種の化合物である。
【００４３】
（Ａ）の保湿剤は、特に目詰まりの抑制に対して効果があり、また、カール、コックリングの抑制に対しても効果を合わせ持つ物質である。しかしながら、その優れた被記録媒体への浸透性から裏抜け適性には劣る物質である。上述の効果をより有効かつ確実に奏する観点から、（Ａ）の保湿剤として、グリセリン及びトリエチレングリコールが好ましい。
（Ｂ）の保湿剤は、特に目詰まりの抑制に対して効果があり、また、浸透抑制効果を持つため裏抜け適性に優れる物質である。それらの効果をより有効かつ確実に奏する観点から、（Ｂ）の保湿剤として、トリメチロールプロパンが好ましい。
（Ａ）及び（Ｂ）の保湿剤は、その物質のもつ１０℃〜４０℃での粘度差が大きいという特性のため、インク組成物中の含有量が増えるに従って、温度による粘度特性に大きく影響し、インク組成物も１０℃〜４０℃での粘度差が大きくなる。
【００４４】
（Ｃ）の保湿剤は、カール適性、及びコックリング適性に優れる物質である。また、この保湿剤は、温度による粘度特性に優れる物質である。（Ｃ）の保湿剤として、具体的には、グリシンベタイン（分子量１１７、「トリメチルグリシン」ともいう。）、γ−ブチロベタイン（同１４５）、ホマリン（同１３７）、トリゴネリン（同１３７）、カルニチン（同１６１）、ホモセリンベタイン（同１６１）、バリンベタイン（同１５９）、リジンベタイン（同１８８）、オルニチンベタイン（同１７６）、アラニンベタイン（同１１７）、スタキドリン（同１８５）及びグルタミン酸ベタイン（同１８９）等のアミノ酸のＮ−トリアルキル置換体であるベタイン類、グルコース（同１８０）、マンノース（同１８０）、フルクトース（同１８０）、リボース（同１５０）、キシロース（同１５０）、アラビノース（同１５０）、ガラクトース（同１８０）及びソルビトール（同１８２）等の糖類、アリル尿素（同１００）、Ｎ，Ｎ−ジメチロール尿素（同１２０）、マロニル尿素（同１２８）、カルバミル尿素（同１０３）、１、１−ジエチル尿素（同１１６）、ｎ−ブチル尿素（同１１６）、クレアチニン（同１１３）及びベンジル尿素（同１５０）の尿素類が挙げられる。また、その分子量が１００未満であると、１０℃〜４０℃での粘度差が大きくなる傾向が強くなる。一方で、その分子量が２００以上であると、インク組成物中のその保湿剤の添加量に対して、インク組成物の粘度が増加しやすい。そのため、（Ｃ）の保湿剤の分子量は１００〜２００の範囲であることが好ましい。これらの中では、特にグリシンベタインがカール抑制効果が高いことから好ましく、アミノコート（旭化成ケミカルズ社製）等の市販品を使用することもできる。
【００４５】
これら保湿剤は、カール適性、コックリング適性、裏抜け適性、目詰まり適性の観点から、（Ａ）、（Ｂ）及び（Ｃ）の合計量でインク組成物中に１０質量％〜４０質量％含まれることが好ましい。
また、それらの保湿剤について、含有量の質量比は、それらの保湿剤による上記効果をバランス良く発揮させる観点から、（Ａ）：（Ｂ）：（Ｃ）＝（１．０）：（０．１〜１．０）：（１．０〜３．５）であると好ましい。なお、本実施形態に係るインク組成物が（Ａ）、（Ｂ）及び（Ｃ）からなる群より選ばれる２種の保湿剤を含む場合、上記と同様の観点から、それらの含有量の質量比は、（Ａ）：（Ｂ）で（１．０）：（０．１〜１．０）、（Ａ）：（Ｃ）で（１．０）：（１．０〜３．５）、（Ｂ）：（Ｃ）で（１．０）：（１．０〜３．５）であると好ましい。（Ａ）の群から選ばれる保湿剤（「（Ａ）の保湿剤」という。以下同様。）に対して、（Ｂ）の保湿剤の質量比を上記よりも多くすると、カール適性及びコックリング適性が低下し、少なくすると、裏抜け適性が低下する。（Ａ）の保湿剤に対して、（Ｃ）の保湿剤の質量比を上記よりも多くすると、目詰まり適性が低下し、少なくすると、特に画像濃度ムラの抑制が困難になり、カール適性及びコックリング適性が低下する。また、（Ｂ）の保湿剤に対して、（Ｃ）の保湿剤の質量比を上記よりも多くすると、目詰まり適性が低下し、少なくすると、画像濃度ムラの制御が困難になり、カール適性及びコックリング適性が低下する。
【００４６】
また、本実施形態に係るインク組成物は、インクジェットヘッドのノズル近傍での目詰まり防止やインクの被記録媒体への浸透性や滲みを適度に制御したり、インクの乾燥性を付与する目的で、水溶性有機溶剤を含有することが好ましい。水溶性有機溶剤は、上記観点から、１，２−アルカンジオール及び／又はグリコールエーテルを含有することが好ましい。１，２−アルカンジオールの具体的な例としては、１，２−オクタンジオール、１，２−ヘキサンジオール、１，２−ペンタンジオール、４−メチル−１，２−ペンタンジオールが挙げられる。また、グリコールエーテルの具体的な例としては、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、トリエチレングリコールモノ−ｎ−ブチルエーテル（以下、「ＴＥＧｍＢＥ」とも表記する。）、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテルが挙げられる。また、上記以外に、２−ピロリドン、Ｎ−メチル−２−ピロリドンなども水溶性有機溶剤として用いることができる。これらの水溶性有機溶剤は１種又は２種以上を用いることができ、インクの適正な物性値（降伏値、粘度等）の確保、印刷品質、信頼性の確保という観点で、インク組成物中に１質量％〜５０質量％含まれることが好ましい。
【００４７】
さらに、インクの被記録媒体への濡れ性を制御し、被記録媒体への浸透性やインクジェット記録方法における印字安定性を得るために、インク組成物は表面張力調整剤を含有することが好ましい。表面張力調整剤としては、アセチレングリコール系界面活性剤やポリエーテル変性シロキサン類が好ましい。アセチレングリコール系界面活性剤の例としては、サーフィノール４２０、４４０、４６５、４８５、１０４、ＳＴＧ（以上、エアープロダクツ社製、製品名）、オルフィンＰＤ−００１、ＳＰＣ、Ｅ１００４、Ｅ１０１０（以上、日信化学工業（株）製、製品名）、アセチレノールＥ００、Ｅ４０、Ｅ１００、ＬＨ（以上、川研ファインケミカル（株）製、製品名）が挙げられる。またポリエーテル変性シロキサン類としては、ＢＹＫ−３４６、３４７、３４８、ＵＶ３５３０（ビックケミー社製品）などが挙げられる。これらは、インク組成物中に１種又は２種以上用いることができ、インク組成物の表面張力を好ましくは２０ｍＮ／ｍ〜４０ｍＮ／ｍに調整するよう含まれ、好ましくはインク組成物中に０．１質量％〜３．０質量％含まれる。
【００４８】
また、必要に応じて、インク組成物に、ｐＨ調整剤、錯化剤、消泡剤、酸化防止剤、紫外線吸収剤、防腐・防カビ剤等を添加することもできる。ｐＨ調整剤としては、例えば、水酸化リチウム、水酸化カリウム、水酸化ナトリウム等の水酸化アルカリ及び／又はアンモニア、トリエタノールアミン、トリプロパノールアミン、ジエタノールアミン、ものエタノールアミン等のアルカノールアミンを用いることができる。特に、アルカリ金属の水酸化物、アンモニア、トリエタノールアミン、トリプロパノールアミンから選択される少なくとも１種類のｐＨ調整剤を含み、ｐＨ６〜１０に調整されることが好ましい。ｐＨがこの範囲を外れると、インクヘットプリンタを構成する材料等の悪影響を与え、目詰まり回復性が劣化する傾向にある。
【００４９】
本実施形態に用いられる顔料としては、公知の無機顔料及び有機顔料のいずれをも用いることができる。そのような顔料としては、例えば、カラーインデックスに記載されているピグメントイエロー、ピグメントレッド、ピグメントバイオレット、ピグメントブルー、ピグメントブラック等の顔料の他、フタロシアニン系、アゾ系、アントラキノン系、アゾメチン系、縮合環系等の顔料が例示できる。また、黄色４号、５号、２０５号、４０１号；橙色２２８号、４０５号；青色１号、４０４号等の有機顔料や、カーボンブラック、酸化チタン、酸化亜鉛、酸化ジルコニウム、酸化鉄、群青、紺青、酸化クローム等の無機顔料が挙げられる。顔料のカラーインデックスとしては、例えば、Ｃ．Ｉ．ピグメントイエロー１，３，１２，１３，１４，１７，２４，３４，３５，３７，４２，５３，５５，７４，８１，８３，９５，９７，９８，１００，１０１，１０４，１０８，１０９，１１０，１１７，１２０，１２８，１３８，１５０，１５３，１５５，１７４，１８０，１９８、Ｃ．Ｉ．ピグメントレッド１，３，５，８，９，１６，１７，１９，２２，３８，５７：１，９０，１１２，１２２，１２３，１２７、１４６，１８４、２０２、Ｃ．Ｉ．ピグメントバイオレッド１，３，５：１，１６，１９，２３，３８、Ｃ．Ｉ．ピグメントブルー１，２，１５，１５：１，１５：２，１５：３，１５：４，１６、Ｃ．Ｉ．ピグメントブラック１，７が挙げられ、１種又は２種以上の顔料をインク組成物に含んでもよい。
【００５０】
本実施形態に用いられる顔料は、各インク組成物における降伏値の関係を、容易に適正な関係にする観点から、樹脂分散型の態様であると好ましい。そのような態様の顔料は、高分子分散剤や界面活性剤などの分散剤と共に、ボールミル、ロールミル、ビーズミル、高圧ホモジナイザー、高速攪拌型分散機などを用いて水性媒体中に分散させた顔料分散液として、あるいは、顔料表面に分散性付与基（親水性官能基及び／又はその塩）を直接又はアルキル基、アルキルエーテル基、アリール基等を介して間接的に結合させ、分散剤なしで水性媒体中に分散及び／又は溶解する自己分散型顔料として加工され、水性媒体中に分散させた顔料分散液として、インク組成物中に配合されることが好ましい。これらの中でも、上記降伏値の関係を、より容易に適正な関係にする観点から、自己分散型顔料として加工され、水性媒体中に分散させた顔料分散液として用いられるものがより好ましい。
【００５１】
分散剤の例としては、高分子分散剤として、にかわ、ゼラチン、サポニンなどの天然高分子化合物やポリビニルアルコール類、ポリピロリドン類、アクリル系樹脂類（ポリアクリル酸、アクリル酸−アクリロニトリル共重合体、酢酸ビニル−アクリル酸共重合体、酢酸ビニル−アクリル酸エステル共重合体など）、スチレン−アクリル酸系樹脂類（スチレン−アクリル酸共重合体、スチレン−メタクリル酸共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−酢酸ビニルーアクリル酸共重合体など）、スチレン−マレイン酸系樹脂類、酢酸ビニル−脂肪酸ビニル−エチレン共重合体の樹脂類など及びこれらの塩などの合成高分子化合物が挙げられ、共重合体の構成はランダムタイプ、ブロックタイプ、グラフトタイプのいずれでもよい。
【００５２】
また、分散剤として用いられる界面活性剤としては、脂肪酸塩類、高級アルキルジカルボン酸塩、高級アルコール硫酸エステル塩類、高級アルキルスルホン酸塩などのアニオン性界面活性剤、脂肪酸アミン塩、脂肪酸アンモニウム塩などのカチオン性界面活性剤、ポリオオキシアルキルエーテル類、ポリオキシアルキルエステル類、ソルビタンアルキルエステル類などのノニオン性界面活性剤が挙げられる。
【００５３】
これらの分散剤の中で、特に水不溶性樹脂が好ましい。水不溶性樹脂として、具体的には、疎水性基を有するモノマーと親水性基（親水性官能基）を有するモノマーとのブロック共重合体樹脂からなり、少なくとも塩生成基を有するモノマーを含有しているもので、中和後に２５℃の水１００ｇに対する溶解度が１ｇ未満である樹脂が好ましい。疎水性基を有するモノマーとしては、例えば、メチルメタクリレート、エチルメタクリレート、イソプロピルメタクリレート、ｎ−ブチルメタクリレート、イソブチルメタクリレート、ｎ−アミルメタクリレート、イソアミルメタクリレート、ｎ−ヘキシルメタクリレート、２−エチルヘキシルメタクリレート、オクチルメタクリレート、デシルメタクリレート、ドデシルメタクリレート、オクタデシルメタクリレート、シクロヘキシルメタクリレート、フェニルメタクリレート、ベンジルメタクリレート、グリシジルメタクリレート等のメタクリル酸エステル類や酢酸ビニル等のビニルエステル類やアクリロニトリル、メタクリロニトリル等のビニルシアン化合物類、スチレン、α−メチルスチレン、ビニルトルエン、４−ｔ−ブチルスチレン、クロルスチレン、ビニルアニソール、ビニルナフタレン等の芳香族ビニル単量体類が挙げられる。これらは１種を単独で又は２種類以上を混合して用いることができる。親水性基を有するモノマーとしては、例えば、ポリエチレングリコールモノメタクリレート、ポリプロピレングリコールモノメタアクリレート、エチレングリコール・プロピレングリコールモノメタアクリレートが挙げられ、これらは１種を単独で又は２種類以上を混合して用いることができる。塩生成基を有するモノマーとしては、例えば、アクリル酸、メタクリル酸、スチレンカルボン酸、マレイン酸が挙げられ、これらは１種を単独で又は２種類以上を混合して用いることができる。さらに、片末端に重合性官能基を有するスチレン系マクロモノマー、シリコーン系マクロモノマーなどのマクロモノマーやその他のモノマーを併用することもできる。
【００５４】
この水不溶性樹脂は、エチルアミン、トリメチルアミン等の３級アミン、水酸化リチウム、水酸化ナトリウム、水酸化カリウム、アンモニア等のアルカリ中和剤で中和した塩として用いることが好ましく、重量平均分子量が１００００〜１５００００程度のものが、顔料を安定的に分散させる点で好ましい。
【００５５】
分散剤なしに水に分散及び／又は溶解が可能な自己分散型顔料は、例えば、顔料に物理的処理又は化学的処理を施すことで、分散性付与基又は分散性付与基を有する活性種を顔料の表面に結合（グラフト）させることによって製造される。物理的処理としては、例えば真空プラズマ処理が例示できる。また、化学的処理としては、例えば水中で酸化剤により顔料表面を酸化する湿式酸化法や、フェニル基及び２つ以上の親水性基を有する化合物を顔料表面に結合させることにより、フェニル基を介して親水性基を顔料表面に結合させる方法が例示できる。ここで、フェニル基及び２つ以上の親水性基を有する化合物として、例えば、ｐ−アミノ安息香酸、スルファニル酸が挙げられる。これらのうち、ｐ−アミノ安息香酸を用いる場合は、顔料表面にフェニル基を介してカルボキシル基を結合させ、スルファニル酸を用いる場合は、顔料表面にフェニル基を介してスルホキシル基又はその塩（例えば亜硝酸ナトリウム、亜硫酸ナトリウム由来のナトリウム塩）を結合させることとなる。これらのうち、フェニル基を介して表面に親水性基を結合した自己分散型顔料は、インク組成物の粘度の経時安定性、顔料の凝集により生じる沈降の経時安定性の観点から好ましい。
【００５６】
また、自己分散型顔料を含有するインク組成物は、通常の顔料を分散させるために含有させる前述のような分散剤を含む必要がないため、分散剤に起因する消泡性の低下による発泡がほとんどなく、吐出安定性に優れるインクを調製しやすい。また、分散剤に起因する大幅な粘度上昇が抑えられるので、顔料をより多く含有することが可能となり、印字濃度を十分に高めることが可能になる、あるいは、取り扱いが容易となる。このような利点があることから、自己分散型顔料は、特に高濃度を必要とするブラックインク組成物に有効であり、本実施形態のインク組成物として用いるブラックインク組成物には、分散剤なしに水に分散及び／又は溶解が可能な自己分散型顔料が少なくとも含まれることが好ましい。
【００５７】
本実施形態においては、次亜ハロゲン酸及び／又は次亜ハロゲン酸塩による酸化処理、過硫酸塩による酸化処理又はオゾンによる酸化処理により表面処理される自己分散型顔料が、高発色という点で好ましい。かかる自己分散型顔料は、上記表面処理により、表面に親水性基を有するものとなる。特に、１）インク組成物の配合時に粘度が上昇しやすくなることを抑制する、２）顔料の凝集により生じる沈降を抑制する、３）上記１）及び２）について経時安定性の面から満足させる観点から、過硫酸塩による酸化処理又はオゾンによる酸化処理により表面処理される自己分散型顔料がより好ましく、オゾンによる酸化処理により表面処理される自己分散型顔料が更に好ましい。また、自己分散型顔料として市販品を利用することも可能であり、そのような市販品として、マイクロジェットＣＷ−１（商品名；オリヱント化学工業（株）製）、ＣＡＢ−Ｏ−ＪＥＴ２００、ＣＡＢ−Ｏ−ＪＥＴ３００（以上商品名；キャボット社製）が例示できる。
【００５８】
また、これらの顔料は、インクの保存安定性やノズルの目詰まり防止等の観点から、インク中での体積平均粒子径が５０ｎｍ〜２００ｎｍの範囲であることが好ましい。これらの体積平均粒子径は、Ｍｉｃｒｏｔｒａｃ  ＵＰＡ１５０（マイクロトラック社製）や粒度分布測定機ＬＰＡ３１００（大塚電子（株）製）等の粒径測定によって得ることができる。
【００５９】
これらの顔料は、インク組成物中に６質量％〜２５質量％の範囲で含有されることが好ましい。その含有量が６質量％未満では印字濃度（発色性）が不充分である場合があり、また、２５質量％よりも大きいと、ノズルの目詰まりや、吐出の不安定を起こす等の信頼性に不具合が生じる場合がある。
【００６０】
本実施形態で用いられるインク組成物は、記録物への定着性を確保する観点から、樹脂エマルジョンを含むと好ましい。
樹脂エマルジョンは、最低造膜温度が２０℃未満の樹脂微粒子を含むことが好ましい。樹脂エマルジョンとして、最低造膜温度が２０℃未満の樹脂微粒子を含むものを用いることにより、通常２０℃以上である使用環境下の周囲温度において、樹脂微粒子が膜化するので、インク組成物の被記録媒体への定着性や耐擦性を向上させる。
ここで、最低造膜温度は、下記のようにして測定される。まず、温度勾配試験装置のステンレス板上に０．３ｍｍの厚さに樹脂エマルジョンを塗布する。塗布後、直ちにシリカゲルの入ったバスケットを板の上にのせ、透明プラスチック製の蓋で覆う。塗膜が乾燥した後、一様な連続皮膜部分と白濁している部分の境界部の温度を読み取り、最低造膜温度とする。
【００６１】
これらの樹脂エマルジョンとしては、アクリル系樹脂、メタクリル系樹脂、酢酸ビニル系樹脂、塩化ビニル系樹脂、スチレン−アクリル系樹脂からなる群より選択される１種又は２種以上の樹脂微粒子を含むものであることが好ましい。これらの樹脂はホモポリマーとして使用されてもよく、また、コポリマーして使用されてもよく、単相構造及び複相構造（コアシェル型）のいずれのものも使用できる。
【００６２】
さらに、本実施形態で用いられるインク組成物に含まれる樹脂エマルジョンは、少なくともいずれかが、不飽和単量体の乳化重合によって得られた樹脂微粒子のエマルジョンの形態で、インク組成物中に配合されることが好ましい。樹脂微粒子を単独でインク組成物中に添加しても、該樹脂微粒子の分散が不十分となる場合があるため、インク組成物の製造上、エマルジョンの形態が好ましい。また、エマルジョンとしては、インク組成物の保存安定性の観点から、アクリル樹脂微粒子のエマルジョン、すなわちアクリルエマルジョンが好ましい。
樹脂微粒子のエマルジョン（アクリルエマルジョン等）は、公知の乳化重合法により得ることができる。例えば、不飽和単量体（不飽和ビニルモノマー等）を、重合開始剤及び界面活性剤を存在させた水中において乳化重合することによって得ることができる。
【００６３】
不飽和単量体としては、例えば、一般に乳化重合で使用されるアクリル酸エステル単量体、メタクリル酸エステル単量体、芳香族ビニル単量体、ビニルエステル単量体、ビニルシアン化合物単量体、ハロゲン化単量体、オレフィン単量体、ジエン単量体が挙げられる。
【００６４】
不飽和単量体として、さらに具体的には、メチルアクリレート、エチルアクリレート、イソプロピルアクリレート、ｎ−ブチルアクリレート、イソブチルアクリレート、ｎ−アミルアクリレート、イソアミルアクリレート、ｎ−へキシルアクリレート、２−エチルへキシルアクリレート、オクチルアクリレート、デシルアクリレート、ドデシルアクリレート、オクタデシルアクリレート、シクロへキシルアクリレート、フェニルアクリレート、ベンジルアクリレート、グリシジルアクリレート等のアクリル酸エステル；メチルメタクリレート、エチルメタクリレート、イソプロピルメタクリレート、ｎ−ブチルメタクリレート、イソブチルメタクリレート、ｎ−アミルメタクリレート、イソアミルメタクリレート、ｎ−ヘキシルメタクリレート、２−エチルヘキシルメタクリレート、オクチルメタクリレート、デシルメタクリレート、ドデシルメタクリレート、オクタデシルメタクリレート、シクロヘキシルメタクリレート、フェニルメタクリレート、ベンジルメタクリレート、グリシジルメタクリレート等のメタクリル酸エステル；酢酸ビニル等のビニルエステル；アクリロニトリル、メタクリロニトリル等のビニルシアン化合物；塩化ビニリデン、塩化ビニル等のハロゲン化単量体；スチレン、α−チルスチレン、ビニルトルエン、４−ｔ−ブチルスチレン、クロルスチレン、ビニルアニソール、ビニルナフタレン等の芳香族ビニル単量体；エチレン、プロピレン等のオレフィン；ブタジエン、クロロプレン等のジエン；ビニルエーテル、ビニルケトン、ビニルピロリドン等のビニル単量体；アクリル酸、メタクリル酸、イタコン酸、フマール酸、マレイン酸等の不飽和カルボン酸；アクリルアミド、メタクリルアミド、Ｎ，Ｎ'−ジメチルアクリルアミド等のアクリルアミド類；２−ヒドロキシエチルアクリレート、２−ヒドロキシプロピルアクリレート、２−ヒドロキシエチルメタクリレート、２−ヒドロキシプロピルメタクリレート等の水酸基含有単量体が挙げられる。これらは１種を単独又は２種以上を混合して用いられる。
【００６５】
また、重合可能な二重結合を２つ以上有する架橋性単量体も、不飽和単量体として使用することができる。重合可能な二重結合を２つ以上有する架橋性単量体の例としては、ポリエチレングリコールジアクリレート、トリエチレングリコールジアクリレート、１，３−ブチレングリコールジアクリレート、１，４−ブチレングリコールジアクリレート、１，６−ヘキサンジオールジアクリレート、ネオペンチルグリコールジアクリレート、１，９−ノナンジオールジアクリレート、ポリプロピレングリコールジアクリレート、２，２'−ビス（４−アクリロキシプロピロキシフェニル）プロパン、２，２'−ビス（４−アクリロキシジエトキシフェニル）プロパン等のジアクリレート化合物；トリメチロールプロパントリアクリレート、トリメチロールエタントリアクリレート、テトラメチロールメタントリアクリレート等のトリアクリレート化合物；ジトリメチロールテトラアクリレート、テトラメチロールメタンテトラアクリレート、ペンタエリスリトールテトラアクリレート等のテトラアクリレート化合物；ジペンタエリスリトールヘキサアクリレート等のヘキサアクリレート化合物；エチレングリコールジメタクリレート、ジエチレングリコールジメタクリレート、トリエチレングリコールジメタクリレート、ポリエチレングリコールジメタクリレート、１，３−ブチレングリコールジメタクリレート、１，４ブチレングリコールジメタクリレート、１，６−ヘキサンジオールジメタクリレート、ネオペンチルグリコールジメタクリレート、ジプロピレングリコールジメタクリレート、ポリプロピレングリコールジメタクリレート、ポリブチレングリコールジメタクリレート、２，２'−ビス（４−メタクリロキシジエトキシフェニル）プロパン等のジメタクリレート化合物；トリメチロールプロパントリメタクリレート、トリメチロールエタントリメタクリレート等のトリメタクリレート化合物；メチレンビスアクリルアミド；ジビニルベンゼンが挙げられる。これらは１種を単独で又は２種以上を混合して用いられる。
【００６６】
また、乳化重合の際に使用される重合開始剤及び界面活性剤の他に、連鎖移動剤、さらには中和剤等も常法に準じて使用してよい。特に中和剤としては、アンモニア、無機アルカリの水酸化物、例えば、水酸化ナトリウムや水酸化カリウムが好ましい。
【００６７】
本実施形態において、樹脂エマルジョンは、インク組成物のインクジェット適性物性値、信頼性（目詰まりや吐出安定性等）、定着性等をより有効に得る観点から、インク組成物中の樹脂微粒子が１質量％〜１０質量％の範囲となるよう、含有されることが好ましい。
【００６８】
インク組成物に含まれる樹脂エマルジョンの体積平均粒子径は、インク組成物中における樹脂微粒子の分散安定性の観点から、２０ｎｍ〜２００ｎｍであることが好ましい。
【００６９】
本実施形態のインクジェット記録方法では、インクジェットヘッド１１０Ａ及びＢから吐出される第１のインク組成物の降伏値よりも、インクジェットヘッド１１０Ｃ及びＤから吐出される第２のインク組成物の降伏値の方を高くする。それぞれのインク組成物の降伏値の関係がそうなるように調整するには、第１のインク組成物として、発色性の高い顔料を含みその含有量を少なくしたインク組成物と、第２のインク組成物として、発色性の低い顔料を含みその含有量を多くしたインク組成物とを用いる方法が好ましい。その他、各インク組成物の降伏値を調整するには、インク組成物中に、界面活性剤、分散剤、レオロジー調整剤を添加したり、その含有量を調整したりする方法が挙げられる。レオロジー調整剤は、例えばコロイダルシリカ等の構造粘性を発現する無機系の微粒子、あるいは、変性ウレア及びウレア変性ウレタン等の溶剤に不溶若しくは難溶である成分を含むものである。レオロジー調整剤の市販品としては、例えば、ビックケミー社製のレオロジーコントロール剤（製品名「ＢＹＫ−４０５」、「ＢＹＫ−４２０」、「ＢＹＫ−４２５」、「ＢＹＫ−４２８」など）が挙げられる。
【００７０】
第１のインク組成物及び第２のインク組成物の降伏値の関係が上述のようになると、先にインクジェットヘッド１１０Ａ及びＢから吐出され、被記録媒体１０１上に印刷した第１のインク組成物は、着弾した直後では流動性が比較的高い。ところが、そこに、インクジェットヘッド１１０Ｃ及びＤから吐出された第２のインク組成物が着弾する時には、第１のインク組成物による画像は流動性が低下した状態にある。よって、その状態の画像上に第２のインク組成物が着弾しても、流動性が低いので第１のインク組成物側から第２のインク組成物側へのカラーブリードは抑制される。また、第２のインク組成物は、元々降伏値が高く、着弾直後であってもその流動性は低いため、第２のインク組成物側から第１のインク組成物側へのカラーブリードも抑制される。これらの結果、本実施形態のインクジェット記録方法は、カラーブリードの発生を抑制することが可能となる。さらに、降伏値を上述のような関係にすれば、各インク組成物の粘度を互いに同程度に調整してもカラーブリードの抑制が可能になるので、ノズルからのインク滴の吐出性を、インクジェットヘッド１１０Ａ及びＢ間で互いに均一にすることができ、目詰まりの抑制にも寄与することが可能となる。
【００７１】
また、先に印刷される第１のインク組成物の降伏値がより低いと、その第１のインク組成物を所望の部分に印刷しようとした際に、被記録媒体１０１上に着弾した第１のインク組成物は、多少、上記の所望の部分よりも広がってしまう。ところが、第１のインク組成物が広がった部分の上に第２のインク組成物を着弾させることで、その部分を隠すことができる。そして、第２のインク組成物はより降伏値の高いものであるため、着弾後も広がり難く、所望の部分のみに選択的に印刷することができる。さらに、第１のインク組成物について印刷位置ズレが生じた場合であっても、第１のインク組成物が着弾後に広がることで、本来印刷すべき部分まで広がるので、更にその上から第２のインク組成物を位置ズレなく印刷できれば、第１のインク組成物の印刷位置ズレを吸収して目立たなくすることが可能となる。
【００７２】
また、本実施形態においては、ラインプリンタを用いたいわゆる色完結方式によって、第１及び第２のインク組成物を印刷する。色完結方式では、被記録媒体１０１とインクジェットヘッド１１０Ａ及びＢとを相対的に１パスで移動させ、かつ同色を複数打ちしない構成となる。これにより、１）高速化が容易となる、２）複数打ち用のヘッド又はノズル列が不要となり、インクジェットヘッド及びそのユニットの小型化、軽量化及び低コスト化が可能となる、という利点を有する。
【００７３】
本実施形態のインクジェット記録方法では、第１のインク組成物による画像の明度の方が、第２のインク組成物による画像の明度よりも高いと好ましい。本実施形態において、カラーブリードは抑制されているものの、通常、第２のインク組成物の着弾した際におけるカラーブリードの起こりやすさは、第２のインク組成物からよりも第１のインク組成物からの方が高い。そこで、第１のインク組成物による画像の明度をより高くすれば、たとえ、第１のインク組成物からのカラーブリードが発生したとしても、目視により目立たない程度で収まりやすい。また、通常、明度の低いインク組成物の方が、より細かい描写を求められるところ、降伏値のより高い第２のインク組成物を明度の低いものにすることで、着弾してからの画像（描線や文字）の広がりを一層抑制でき、細かい描写が可能となる観点から好ましい。さらに、ブラックインク組成物のように明度の低いインク組成物は、普通紙等の被記録媒体に単独で直接印刷されることも多いところ、降伏値のより高い第２のインク組成物を明度の低いものにすれば、それを単独で印刷した際にフェザリングを防止することも可能となる。
【００７４】
かかる第１及び第２のインク組成物の組合せとしては、例えば第１のインク組成物がブラック以外の色（カラー）のインク組成物であり、第２のインク組成物がブラックインク組成物である場合が挙げられる。あるいは、第１のインク組成物がマゼンタ又はイエローインク組成物であって、第２のインク組成物がシアンインク組成物である組合せ、第１のインク組成物がシアン又はイエローインク組成物であって、第２のインク組成物がマゼンタインク組成物である組合せが挙げられる。
【００７５】
本実施形態の記録物は、上記インクジェット記録方法によって記録が行われて得られるものである。この記録物は、本実施形態に係るインクジェット記録方法により得られることにより、カラーブリードの発生が抑制され、更にシャープネスの高い画像を形成することができる。また、本実施形態の記録物は、定着性低下を抑制されたものであり、しかも、目詰まりも抑制されているため、インク組成物が所望のとおりに被記録媒体に着弾し、ドット抜けなどの少ない画像が形成された記録物となる。また、この記録物は、インクの安全性、安定性に優れ、種々の被記録媒体について、使用温度によらず、常に同等の記録品質を実現すると共に、普通紙について、優れたカール適性、コックリング適性、裏抜け適性、両面印刷適性を有する。
【００７６】
以上、本発明を実施するための形態について説明したが、本発明は上記本実施形態に限定されるものではない。本発明は、その要旨を逸脱しない範囲で様々な変形が可能である。例えば、上述の本実施形態では、インクジェットヘッド１１０Ａ〜Ｄは千鳥状に並設されたものであるが、本発明のインクジェット記録方法において、インクジェットヘッドは千鳥状に並設されていなくてもよい。ただし、搬送方向から見た場合に、互いに一部が重複するように千鳥状に並設されることで、各色のラインを隙間なく印刷することができるので、その方が好ましい。
【００７７】
また、上記本実施形態では２色のインク組成物を用いるインクジェット記録方法について説明したが、もちろん３色、４色、５色、６色等、３色以上のインク組成物を用いてもよい。その場合、インクジェットヘッド１１０Ｄの搬送方向下流側に、各色毎に複数のインクジェットヘッドが、インクジェットヘッド１１０Ａ及びＢと同様の並びで配置されるのが好ましい。
【００７８】
インク組成物が、ブラックインク組成物、シアンインク組成物、マゼンタインク組成物及びイエローインク組成物の４色のインク組成物を含む場合、その並びは、搬送方向の上流から明度が高い順に、イエローインク組成物、マゼンタインク組成物、シアンインク組成物、ブラックインク組成物、であると好ましい。この際、各インク組成物の降伏値が、下記式（１）で表される関係を満足すると好ましい。これらが好ましい理由は、上記２色のインク組成物を用いた場合と同様の理由である。
ＹK＞ＹC＞ＹM＞ＹY      （１）
ここで、式（１）中、ＹK、ＹC、ＹM及びＹYはそれぞれ、ブラックインク組成物、シアンインク組成物、マゼンタインク組成物及びイエローインク組成物の降伏値を示す。
【００７９】
また、上記４色のインク組成物の並びは、搬送方向の上流から明度が高い順に、イエローインク組成物、シアンインク組成物、マゼンタインク組成物、ブラックインク組成物、であると好ましい。この際、各インク組成物の降伏値が、下記式（２）で表される関係を満足すると好ましい。これらが好ましい理由は、上記２色のインク組成物を用いた場合と同様の理由である。
ＹK＞ＹM＞ＹC＞ＹY      （２）
ここで、式（２）中、ＹK、ＹM、ＹC及びＹYはそれぞれ、ブラックインク組成物、マゼンタインク組成物、シアンインク組成物及びイエローインク組成物の降伏値を示す。
【実施例】
【００８０】
以下、実施例を用いて本実施形態を更に詳細に説明するが、本実施形態はこれらの実施例に限定されるものではない。
【００８１】
［着色剤の準備］
〔フェニル基を介して親水性基を結合した自己分散型顔料〕
（顔料分散液ＣＡ）
回転子−固定子型高剪断混合機（シルバーソン社製、商品名「Ｌ４ＲＴ−Ａ」）に４リットルステンレス鋼製ビーカーを取り付け、氷浴中に浸した。このビーカーに、Ｃ．Ｉ．ピグメントブルー１５：４約７５ｇと水１０００ｇとを入れ、７２００ｒｐｍにて１５分間撹拌混合して均質化した。これに２．０７ｇ（０．０１ｍｏｌ）のｏ−アセトアニシジドを溶解したイソプロパノール溶液２０ｍＬを添加して、更に１５分間混合撹拌した。
【００８２】
一方、別の容器中で、スルファニル酸４．３５ｇ（０．０２５ｍｏｌ）、１ＮのＨＣｌ３０ｍＬ、及び亜硝酸ナトリウム１．７３ｇ（０．０２５ｍｏｌ）を５〜１０℃にて混合して、ジアゾニウム塩を形成させた。次いで、これを上記Ｃ．Ｉ．ピグメントブルー１５：４とｏ−アセトアニシジドとの混合物に撹拌しながら添加し、温度を約１０℃に維持した。この混合物を、５Ｍ水酸化ナトリウム溶液の滴下により、ｐＨ５〜６に調整し、ジアゾニウム塩の存在の有無により反応の進行を確認しながら、更に２時間攪拌した。ジアゾニウム塩が存在する場合、反応混合物と０．１％アミノサリチル酸を溶解した１Ｍ−Ｎａ2ＣＯ3溶液とをそれぞれ濾紙上に１滴ずつ垂らした際、これら二つの滴の広がりが触れ合うと橙色となる。
【００８３】
得られた混合物をテルソニック流通型音波処理装置に移し、２時間超音波処理し、得られた顔料分散液を、５０ｎｍダイアフィルトレーション膜カラムを用いて精製後、２０質量％の固形分濃度に濃縮し、シアン顔料分散液ＣＡを得た。
【００８４】
（顔料分散液ＭＡ）
顔料としてＣ．Ｉ．ピグメントブルー１５：４に代えてＣ．Ｉ．ピグメントレッド１２２を用いた以外はシアン顔料分散液ＣＡの調製と同様にして、固形分濃度が２０質量％のマゼンタ顔料分散液ＭＡを得た。
【００８５】
（顔料分散液ＹＡ）
顔料としてＣ．Ｉ．ピグメントブルー１５：４に代えてＣ．Ｉ．ピグメントイエロー７４を用いた以外はシアン顔料分散液ＣＡの調製と同様にして、固形分濃度が２０質量％のイエロー顔料分散液ＹＡを得た。
【００８６】
（顔料分散液ＫＣ）
顔料としてＣ．Ｉ．ピグメントブルー１５：４に代えてＣ．Ｉ．ピグメントブラック７（カーボンブラック）を用いた以外はシアン顔料分散液ＣＡの調製と同様にして、固形分濃度が２０質量％のブラック顔料分散液ＫＣを得た。
【００８７】
〔過硫酸塩による酸化処理により親水性基を結合した自己分散型顔料〕
（顔料分散液ＫＡ）
カーボンブラックであるカラーブラックＳ１７０（商品名、デグサ社製）１５０ｇを２Ｎ過硫酸ナトリウム水溶液３Ｌ中に添加し、温度６０℃、攪拌速度１ｓ-1で１０時間攪拌混合して酸化処理した。酸化したカーボンブラックに対して、限外濾過膜（旭化成（株）製、商品名「ＡＨＰ−１０１０」）にて残塩分離処理を施した。その後、水酸化ナトリウム水溶液を添加してｐＨ８に調整した。次いで、余剰の塩類の除去精製と水分除去による濃縮とを行うため、再度限外濾過膜にて処理を施した。この際、処理後の水溶液においてカーボンブラックの濃度が２０質量％になるように調整した。こうして、ブラック顔料分散液ＫＡを調製した。
【００８８】
〔オゾンによる酸化処理により親水性基を結合した自己分散型顔料〕
（顔料分散液ＫＢ）
カーボンブラックであるカラーブラックＳ１７０（商品名、デグサ社製)２０ｇを水５００ｇに混合して、家庭用ミキサーで５分間分散した。得られた分散原液に次亜塩素酸ナトリウム（有効塩素濃度１２％）１４００ｇを滴下して、ボールミルで粉砕しながら５時間反応させ、さらに攪拌しながら４時間煮沸して湿式酸化を行った。得られた液をガラス繊維ろ紙ＧＡ−１００（商品名、アドバンテック東洋社製）で濾過して、さらに水で洗浄した。得られたウェットケーキを水５ｋｇに再分散して、逆浸透膜により電導度が２ｍＳ／ｃｍになるまで脱塩及び精製し、さらに顔料濃度が２０質量％になるまで濃縮して顔料分散液ＫＢを調製した。
この分散液の顔料の体積平均粒子径をＭｉｃｒｏｔｒａｃ  ＵＰＡ１５０（Ｍｉｃｒｏｔｒａｃ社製）の粒度分布測定により測定したところ、１１０ｎｍであった。
【００８９】
（顔料分散液ＣＢ）
顔料としてカーボンブラックに代えてＣ．Ｉ．ピグメントブルー１５：４を用いた以外はブラック顔料分散液ＫＢの調製と同様にして、固形分濃度が２０質量％のシアン顔料分散液ＣＢを得た。
【００９０】
（顔料分散液ＹＢ）
顔料としてカーボンブラックに代えてＣ．Ｉ．ピグメントイエロー７４を用いた以外は、ブラック顔料分散液ＫＢの調製と同様にして、固形分濃度が２０質量％のイエロー顔料分散液ＹＢを得た。
【００９１】
［インク組成物の調製］
表１に示す割合で各成分を混合し、孔径１０μｍのメンブランフィルターにて濾過して、各インク組成物を調製した。ただし、表１中に示す添加量は全て質量％の濃度として表されており、イオン交換水の「残量」とは、インク組成物の全量が１００質量％となるようにイオン交換水を加えることを意味する。また、「ニューレックス・ソフト５Ｓ」とは、日本油脂社製界面活性剤（商品名）を指す。
【００９２】
【表１】
2011213059.tif 000002
【００９３】
［インクセットの作製］
上記のようにして得られた各インク組成物を表２のように組み合わせて、インクセットを作製した。
【００９４】
【表２】
2011213059.tif 000003
【００９５】
＜インク組成物の評価＞
（試験１）降伏値
得られた各インク組成物を、Ａｎｔｏｎ  Ｐａａｒ社製の粘弾性測定装置（商品名「Ｐｈｙｓｉｃａ  ＭＣＲ３０１」）に装着されたコーンプレート（直径７５ｍｍ、角度１°）に充填して、２０℃における剪断速度（１０〜１０００ｓ-1）に対する剪断粘度を測定した。測定した値をＣａｓｓｏｎ式に当てはめて、降伏値を求めた。
結果を表３〜５に示す。
【００９６】
（試験２）明度
４色のインク組成物を用いることが可能なインクジェットヘッドユニットを用いた以外は図１〜３に示すものと同様の構成を備えるライン型インクジェットプリンタに上記各インクセットを装備し、シアン、マゼンタ、イエロー及びブラックの各インク組成物による１００％Ｄｕｔｙパッチパターン（ベタ画像）の印刷を行った。被記録媒体として、普通紙であるゼロックスＰ（富士ゼロックス社製）、Ｘｅｒｏｘ  ４０２４（Ｘｅｒｏｘ  Ｃｏ．社製）を用いた。印刷した記録物を一般環境下で１時間放置した後、各パッチ部分の明度（Ｌ値）を、グレタグ濃度計（グレタグマクベス社製）を用いて測定した。
結果を表３〜５に示す。
【００９７】
（試験３）発色性（光学濃度（ＯＤ値））
試験２と同様に印刷した１００％Ｄｕｔｙパッチパターン（ベタ画像）のＯＤ値をグレタグ濃度計（グレタグマクベス社製）を用いて５回（５箇所で）測定した。そして、各インク組成物ごとの相加平均値を求め、算出した平均ＯＤ値につき、以下の判断基準で光学濃度値（ＯＤ値）を評価した。
Ａ：１．２以上
Ｂ：１．１以上〜１．２未満
Ｃ：１．１未満
評価結果を表３〜５に示す。
【００９８】
（試験４）カラーブリード１（文字の鮮明性１）
上記と同様のインクジェットプリンタを用いて、シアン、マゼンタ及びイエローを含む１００％Ｄｕｔｙの背景部及びそこに重ねたブラック文字の印刷を行った。被記録媒体として、普通紙であるゼロックスＰ（富士ゼロックス社製）、Ｘｅｒｏｘ  ４０２４（Ｘｅｒｏｘ  Ｃｏ．社製）を用いた。印刷した記録物を一般環境下で１時間放置した後、各色背景部に対するブラック文字の滲みの状態を目視にて確認し、下記基準に基づき判定した。
Ａ：文字の滲みが全く認められない。
Ｂ：文字の滲みが僅かに認められるが、許容範囲内である。
Ｃ：文字の滲みが明らかに認められ、許容範囲外である。
評価結果を表３〜５に示す。
【００９９】
（試験５）カラーブリード２（文字の鮮明性２）
上記と同様のインクジェットプリンタを用いて、搬送方向上流側のインク組成物による１００％Ｄｕｔｙの背景部（１色のみ、シアン又はマゼンタ）及びそこに重ねた搬送方向下流側のインク組成物による文字（１色のみ、マゼンタ又はシアン）の印刷を行った。被記録媒体として、普通紙であるゼロックスＰ（富士ゼロックス社製）、Ｘｅｒｏｘ  ４０２４（Ｘｅｒｏｘ  Ｃｏ．社製）を用いた。印刷した記録物を一般環境下で１時間放置した後、各背景部に対する文字の滲みの状態を目視にて確認し、下記基準に基づき判定した。
Ａ：文字の滲みが全く認められない。
Ｂ：文字の滲みが僅かに認められるが、許容範囲内である。
Ｃ：文字の滲みが明らかに認められ、許容範囲外である。
評価結果を表３〜５に示す。
【０１００】
（試験６）フェザリング（文字の鮮明性３）
上記と同様のインクジェットプリンタを用いて、白地背景部、すなわち被記録媒体に直接、ブラック文字の印刷を行った。被記録媒体として、普通紙であるゼロックスＰ（富士ゼロックス社製）、Ｘｅｒｏｘ  ４０２４（Ｘｅｒｏｘ  Ｃｏ．社製）を用いた。印刷した記録物を一般環境下で１時間放置した後、白地背景部に対する文字の滲みの状態を目視にて確認し、下記基準に基づき判定した。なお、「フェザリング」とは、被記録媒体である紙の印字部の周りから髭状にインクが滲んで鳥の羽のように見える現象を意味する。これは、紙のパルプ繊維が親水性でかつ多孔質であるため、その中を繊維の長さ方向に沿ってインクが移動することにより生じる。
Ａ：フェザリングが全く認められない。
Ｂ：フェザリングが僅かに認められるが、許容範囲内である。
Ｃ：フェザリングが明らかに認められ、許容範囲外である。
評価結果を表３〜５に示す。
【０１０１】
【表３】
2011213059.tif 000004
【０１０２】
【表４】
2011213059.tif 000005
【０１０３】
【表５】
2011213059.tif 000006
【符号の説明】
【０１０４】
１００…インクジェット記録装置、１０１…被記録媒体、１０４…収納カセット、１０５…給紙ローラ、１０６…排紙カセット、１０９…位置検出センサ、１１０Ａ、１１０Ｂ、１１０Ｃ、１１０Ｄ…インクジェットヘッド、１１１…制御部、１１５、１１６、１１７、１１８…モータ、１２０…プラテン部、１３０…搬送ベルト、１４０…搬送ローラ、１４０Ａ、１５０Ａ、１８０…駆動ローラ、１４０Ｂ、１５０Ｂ、１７０…従動ローラ、１５０…排出ローラ、１６０…搬送手段、１９０…インクジェットヘッドユニット。
【図１】
2011213059.tif 000007
【図２】
2011213059.tif 000008
【図３】
2011213059.tif 000009